(57)【要約】 【課題】安全性の点から当該仮設配管がどのような種別の配管であって、使用中であるか否かの表示を必要とする場合に、容易に切り替え表示が可能である配管用表示具を提供する。【解決手段】弾性材で形成された半円筒形状で、装着対象配管の外径に対応する内径を備え、当該内径に拡げた際に、断面が半円以上となる第一装着体１と、同様に形成された第二装着体２とからなり、第一装着体及び第二装着体の表面に所望の告知表示（第一装着体地配管の使用の現状を示す第一表示１１、第二装着体は配管の使用目的・管理者名・宣伝広告等の第二表示２１）をなすと共に、第二装着体の管長を、第一装着体の第一表を隠蔽可能な長さとしてなる。【選択図】図３
0003132605.tif 000002
【実用新案登録請求の範囲】
【請求項１】
弾性材で形成された半円筒形状で、装着対象配管の外径に対応する内径を備え、当該内径に拡げた際に、断面が半円以上となる第一装着体と、弾性材で形成された半円筒形状で、装着対象配管に第一装着体をはめ込んだ際の外径に対応する内径を備え、当該内径に拡げた際に、断面が半円以上となる第二装着体とからなり、第一装着体及び第二装着体の表面に所望の告知表示をなすと共に、第二装着体の管長を、第一装着体の所望の告知表示を隠蔽可能な長さとしてなることを特徴とする配管用表示具。
【請求項２】
第二装着体の管長を、第一装着体の管長と一致若しくは長く形成すると共に、装着対象管を抱持可能な弾性を備えてなる請求項１記載の配管用表示具。
【請求項３】
第二装着体の管長を、第一装着体の管長より短く形成してなる請求項１記載の配管用表示具。
【考案の詳細な説明】
【技術分野】
【０００１】
本考案は、主として仮設配管に使用する配管用表示具に関するものである。
【背景技術】
【０００２】
配管路においては、管やバルブ等の配管機器の管理が必要である場合には、当該機器について管理対象物を識別するための銘盤が装着されていたり、近年においては電子タグが取り付けられている（特許文献１）。
【０００３】
またガスの集中配管によるガス供給システムにおいては、ガスの供給方向やガスの種類を識別するための表示として、シールを貼着したり、弾性材で縦切り込みを施された半筒状の表示部材を当該配管に嵌め込み装着することが知られている（特許文献２）
【０００４】
【特許文献１】特開２００５−３２６５９０号公報。
【特許文献２】実開平５−１９７７５号公報。
【考案の開示】
【考案が解決しようとする課題】
【０００５】
ところで、ガス工事や水道工事に際して、需要者が不便にならないように仮設配管が施されることになり、この仮設配管は通常時には存在しない配管であり、一般的に露出状態で設置されることが多い。
【０００６】
安全性の点から当該仮設配管がどのような種別の配管であって、使用中であるか否かの表示を必要とする場合に、前記した従前の配管表示手段（特許文献２記載）では、種別表示が可能であるが、使用開始時に改めて使用中の表示を装着しなければならなく作業が煩雑である。
【０００７】
そこで本考案は、二重の表示手段を備えた配管用表示具を提案したものである。
【課題を解決するための手段】
【０００８】
本考案に係る配管用表示具は、弾性材で形成された半円筒形状で、装着対象配管の外径に対応する内径を備え、当該内径に拡げた際に、断面が半円以上となる第一装着体と、弾性材で形成された半円筒形状で、装着対象配管に第一装着体をはめ込んだ際の外径に対応する内径を備え、当該内径に拡げた際に、断面が半円以上となる第二装着体とからなり、第一装着体及び第二装着体の表面に所望の告知表示をなすと共に、第二装着体の管長を、第一装着体の所望の告知表示を隠蔽可能な長さとしてなることを特徴とするものである。
【０００９】
而して仮設配管を設置した際に、第一装着体を当該配管に装着し、更に第二装着体を覆うように第二装着体を装着する。第一装着体の表示（第一表示）については、当該配管の現状を示す表示として、第二装着体の表示（第二表示）は、例えば当該配管の使用目的・種別や、管理者を表示したり、或いは宣伝広告用の表示等の任意の表示を行い、第二装着体の装着位置によって、第一表示を露出させたり、或いは隠蔽することで、配管の現状を告知することができる。
【考案の効果】
【００１０】
本考案の構成は上記の通りで、配管の一般的な表示を第二装着体で行い、使用の現状が変化しても、第二装着体の装着位置を変更して、露出される第一表示によって対応できるもので、異なる表示をなした装着体に取り替える必要が無く、表示作業が簡素化されるものである。
【考案を実施するための最良の形態】
【００１１】
次に本考案の実施形態について説明する。実施形態に示した配管用表示具は、第一装着体１と第二装着体２とで構成される。
【００１２】
第一装着体１及び第二装着体２は、共に適宜な弾性材で形成された半円筒形状で、第一装着体１は、規格化されている装着対象配管（仮設配管）Ａの外径に対応する内径を備え、当該内径に拡げた際に、断面が半円以上となるようにしたものである。
【００１３】
第二装着体２は、第一装着体１が薄材で形成されている場合には、実質的に同一形状のものでも良いが、第一装着体１を覆って装着された際に、当該弾性反発力で第一装着体１から離脱せず、且つ配管Ａに対しても弾性反発力で保持できる形状及び弾性を備えるように形成する。またその管長は、第一装着体１の管長と一致若しくは長く形成してなる。
【００１４】
更に第一装着体１の表面には、第一表示１１をなし、第二装着体２の表面には、第二表示２１をなすもので、第一表示１１は、例えば「現在送水中」のように配管の使用状況の告知する表示とし、第二表示は、例えば管理者である「○△水道局」のような表示を行うものである。
【００１５】
而して仮設配管Ａが構築されると、図２に例示するとおり、第一装着体１に第二装着体２を被せて一体化して運搬収納を行い、仮設配管Ａの装着は、図２の状態のまま開口部分を押し拡げて取り付けても良いし、第一装着体１を嵌め込み取り付け後に、第二装着体２を取り付けるようにしても良い。
【００１６】
配管Ａに対して第一装着体１及び第二装着体２を装着し、仮設配管Ａが未だに使用されていない場合には、図３（イ）に示すように第一装着体１の第一表示「現在送水中」１１を隠蔽し、使用が開始されると、第二装着体２の取付位置をスライド移動させ、第一表示１１を露出させて配管の使用状況を知らしめることができる。
【００１７】
図４は第二実施形態で、第二装着体４の管長を、第一装着体３の管長より短く形成して、第一表示は、使用状況の異なる第一ａ表示「送水中」３１と、第一ｂ表示「停止中」３２の二つの表示をなし、更に両端縁部分に指当て用透孔３３を設けてなる。
【００１８】
第二装着体４は、第一装着体３の管長より短く形成して、第一ａ表示３１と第一ｂ表示３２の一方を露出し、他方を隠蔽できる大きさとするものである。
【００１９】
而して図４（イ）（ロ）に示すように、第二装着体４の移動によって第一ａ表示３１と第一ｂ表示３２の選択的な表示ができるもので、特に第二装着体４のスライド移動に際して指当て用透孔３３を利用するとスムーズに操作することができる。
【００２０】
尚第二装着体４の第二表示は、会社名の表示や宣伝広告の表示としても利用できる。また指当て用透孔３３は、装着体の分離を阻止するために紐通し孔として利用し、紐で第一装着体３の配管固定を実施しても良い。
【図面の簡単な説明】
【００２１】
【図１】本考案の第一実施形態の分解斜視図。
【図２】同全体斜視図。
【図３】同使用状態の説明図。
【図４】本考案の第二実施形態の使用状態の説明図。
【符号の説明】
【００２２】
１，３        第一装着体
１１          第一表示
３１          第一ａ表示
３２          第一ｂ表示
３３          指当て用透孔
２，４        第二装着体
２１，４１    第二表示
【図１】
0003132605.tif 000003
【図２】
0003132605.tif 000004
【図３】
0003132605.tif 000005
【図４】
0003132605.tif 000006